(57)【要約】【課題】ブームを倒すことなく、安全に、アースドリルの補巻ロープを１本掛けから２本掛けに掛け替えることができる補巻ロープ掛け替え方法を提供する。【解決手段】  ベースマシン１４に設けられたブーム１５の先端部に配置されたシーブ軸２６に、先端にスイベル３２を取り付けた主巻ロープ３１が巻掛けられる主巻シーブ２７と先端に補巻フック３６を連結した補巻ロープ３５が巻掛けられる補巻シーブ２８とを回転可能に取り付けたアースドリル１１の補巻ロープ３５を尻手に補巻フック３６を連結した１本掛けの状態からシーブ付き補巻フック３７のシーブ３８に巻掛けた２本掛けに掛け替える補巻ロープ掛け替え方法であって、主巻ロープ３１及び補巻ロープ３５を地上まで巻下げ、補巻フック３６から補巻ロープ３５を取り外し、補巻ロープ３５をシーブ付き補巻フック３７のシーブ３８に巻掛け、補巻ロープ３５の尻手をスイベル３２に連結させる。【選択図】図４
2015145307.tif 000002
【特許請求の範囲】
【請求項１】
ベースマシンに設けられたブームの先端部に配置されたシーブ軸に、先端にスイベルを取り付けた主巻ロープが巻掛けられる主巻シーブと先端に補巻フックを連結した補巻ロープが巻掛けられる補巻シーブとを回転可能に取り付けたアースドリルの補巻ロープを尻手に補巻フックを連結した１本掛けの状態からシーブ付き補巻フックのシーブに巻掛けた２本掛けの状態に掛け替える補巻ロープ掛け替え方法において、
前記主巻ロープ及び前記補巻ロープを地上まで巻下げ、
前記補巻フックから前記補巻ロープを取り外し、
前記補巻ロープを前記シーブ付き補巻フックのシーブに巻掛け、
前記補巻ロープの尻手を前記スイベルに連結することにより、
補巻ロープを１本掛けの状態から２本掛けの状態に掛け替えることを特徴とする補巻ロープ掛け替え方法。
【発明の詳細な説明】
【技術分野】
【０００１】
本発明は、アースドリルの補巻ロープ掛け替え方法に関し、詳しくは、アースドリルの補巻ロープを、尻手に補巻フックを連結した１本掛けの状態からシーブ付き補巻フックのシーブに巻掛けた２本掛けの状態に掛け替える補巻ロープ掛け替え方法に関する。
【背景技術】
【０００２】
ブームの先端に設けられたシーブ軸に、スイベルを介してケリーバを吊持する主巻ロープが巻掛けられる主巻シーブと、補巻フックを連結した補巻ロープが巻掛けられる補巻シーブとを回転可能に取り付けたアースドリルが知られている（特許文献１参照）。補巻ロープは、補巻フックで作業時に使用する各種資材などを吊り上げるために用いられるが、比較的重いものを吊り上げる場合には、吊り上げ能力を上げるために、補巻フックをシーブ付き補巻フックに代えて、シーブ付き補巻フックのシーブに巻掛け、尻手をブーム先端に固定することにより、２本掛けにロープを掛け替える。
【先行技術文献】
【特許文献】
【０００３】
【特許文献１】特開２０１３−６７９８９号公報
【発明の概要】
【発明が解決しようとする課題】
【０００４】
しかしながら、アースドリルの場合、フロントフレームにケリーバ回転駆動装置が取り付けられているので、ブームをベースマシンの前方に倒しても、ケリーバ回転駆動装置がブームの下面にあるため、ブーム先端部分を地上近くまで下げることができない。ラチス式のブームの場合には、ブームを分解し、ブームの上側部分を別のクレーンで吊り上げることにより、ブーム先端部分を地上に下ろすこともできるが、クレーンを手配しなければならない上に、ブームの分解や組立にも時間が多く必要となってしまう。一方、テレスコピック式のブームの場合は、補巻ロープの尻手をブーム先端に固定する作業を行うための足場が必要となるうえ、足場上での高所作業となる。また、テレスコピック式、ラチス式のいずれのブームにであっても、ブームを倒すためのスペースが必要となる。
【０００５】
そこで本発明は、ブームを倒すことなく、安全に、アースドリルの補巻ロープを尻手に補巻フックを連結した１本掛けの状態からシーブ付き補巻フックのシーブに巻掛けた２本掛けの状態に掛け替えることができる補巻ロープ掛け替え方法を提供することを目的としている。
【課題を解決するための手段】
【０００６】
上記目的を達成するため、本発明の補巻ロープ掛け替え方法は、ベースマシンに設けられたブームの先端部に配置されたシーブ軸に、先端にスイベルを取り付けた主巻ロープが巻掛けられる主巻シーブと先端に補巻フックを連結した補巻ロープが巻掛けられる補巻シーブとを回転可能に取り付けたアースドリルの補巻ロープを尻手に補巻フックを連結した１本掛けの状態からシーブ付き補巻フックのシーブに巻掛けた２本掛けの状態に掛け替える補巻ロープ掛け替え方法において、前記主巻ロープ及び前記補巻ロープを地上まで巻下げ、前記補巻フックから前記補巻ロープを取り外し、前記補巻ロープを前記シーブ付き補巻フックのシーブに巻掛け、前記補巻ロープの尻手を前記スイベルに連結することにより、補巻ロープを１本掛けの状態から２本掛けの状態に掛け替えることを特徴としている。
【発明の効果】
【０００７】
本発明の補巻ロープ掛け替え方法によれば、ブームが起立した状態で、主巻ロープ及び補巻ロープを地上まで巻下げて、シーブ付き補巻フックのシーブに巻掛け、補巻ロープの尻手を主巻ロープ先端に取り付けたスイベルに連結するので、高所作業を回避でき、ブームを倒すためのスペースも不要である。
【図面の簡単な説明】
【０００８】
【図１】本発明を適用したアースドリルの一例を示す側面図である（補巻ロープの尻手に補巻フックを連結した１本掛けの状態）。
【図２】同じく側面図である（シーブ付き補巻フックのシーブに巻掛けた２本掛けの状態）。
【図３】本発明のロープ掛け替え方法の説明図である。
【図４】同じく説明図である。
【発明を実施するための形態】
【０００９】
図１及び図２は、本発明を適用したアースドリルの一例を示すものである。アースドリル１１は、下部走行体１２の上部に旋回可能に上部旋回体１３を設けた自走式のベースマシン１４と、上部旋回体１３の前部に起伏可能に設けられたブーム１５とを備えている。
【００１０】
上部旋回体１３の後端部には、カウンタウエイト１６が搭載されている。また、上部旋回体１３の右側部には運手席１３ａや機器室１３ｂが設けられ、左側部にはエンジンや油圧ポンプを収納したエンジン室（図示せず）が設けられている。
【００１１】
ブーム１５は、箱形断面を有する三段式のテレスコピック型であって、上部旋回体１３のブームブラケットにフートピンを介して起伏可能に装着されるロアブーム（ベースブーム）１５ａと、該ロアブーム１５ａ内に伸縮可能に挿入されたセカンドブーム１５ｂと、該セカンドブーム１５ｂ内に伸縮可能に挿入されたアッパーブーム１５ｃとで形成されている。
【００１２】
ロアブーム１５ａには、ケリーバ駆動装置１７を支持するためのフロントフレーム１８及び複数のフレームシリンダ１９が取り付けられている。
【００１３】
ベースマシン１４の後部にはガントリ２０が立設され、起伏ウインチ２１からの起伏ロープ２２が、ペンダントロープ２３を介してセカンドブーム１５ｂの先端上部に設けられたブラケット２４に連結されている。
【００１４】
アッパーブーム１５ｃの先端に設けられたトップシーブ２５のシーブ軸２６には、主巻シーブ２７及び補巻シーブ２８が回転可能に設けられている。主巻ウインチ２９から主巻ガイドシーブ３０を介して繰り出された主巻ロープ３１は、主巻シーブ２７に巻掛けられ、先端にスイベル３２が取り付けられている。主巻ロープ３１はスイベル３２を介してケリーバ３３を回転可能に吊り下げ、主巻ウインチ２９でケリーバ３３を昇降させるように構成されている。
【００１５】
掘削作業をする際には、ケリーバ回転駆動装置１７から下方に突出したケリーバ３３の下端部に、ケリーバ３３と一体に回転し、かつ昇降する拡底バケット（図示しない）や掘削バケット（図示しない）が装着される。
【００１６】
この掘削作業と併せてクレーン作業をする場合には、補巻ウインチ３４から繰り出された補巻ロープ３５を補巻シーブ２８に巻掛け、補巻ロープ３５の尻手に補巻フック３６を連結した１本掛けの状態で各種資材を吊り上げる（図１の状態）。
【００１７】
一方、掘削作業をせずに、重量物を吊り上げるクレーン作業を行う場合には、１本掛けより２本掛けの方が好ましい。そこで、図２に示されるように、補巻フック３６をシーブ付き補巻フック３７に代えて、補巻ロープ３６をシーブ付き補巻フック３７のシーブ３８に巻掛ける２本掛けにすることで、重量物のクレーン作業が可能となる。
【００１８】
図３乃至図４を用いて、１本掛けから２本掛けに掛け替える本発明の補巻ロープ掛け替え方法について説明する。
【００１９】
まず、図１のようにブーム１５を起立した状態のまま、主巻ウインチ２９の操作により、主巻ロープ３１を巻き上げてケリーバ回転駆動装置１７からケリーバ３３を抜いた後、主巻ロープ３１を地上まで下げ、スイベル３２に取り付けられたケリーバ３３を取り外す。また、補巻ウインチ３４を操作して、補巻ロープ３５を地上まで下ろし、補巻フック３６を取り外す。
【００２０】
シーブ付き補巻フック３７を用意し、補巻ロープ３５をシーブ３８に巻掛け、補巻ロープ３５の尻手をスイベル３２に連結させる（図３の状態）。
【００２１】
そして、主巻ロープ３１、補巻ロープ３５を操作することにより、シーブ付き補巻フック３７を２本掛けの状態で昇降可能にすることができ、重量物のクレーン作業が可能となる（図４の状態）。
【００２２】
上述の方法によれば、ブーム１５を倒すことなく、１本掛けから２本掛けの状態にすることができるので、周囲にスペースがなくても作業が可能である。また、主巻ロープ３１、補巻ロープ３５を地上に下ろして作業を行うので、高所作業用の足場も不要となり、安全に作業することができる。
【００２３】
なお、上記では、テレスコピック式のブームを備えたアースドリルを用いて説明したが、ラチスブーム式のアースドリルであっても構わない。
【符号の説明】
【００２４】
１１…アースドリル、１２…下部走行体、１３…上部旋回体、１３ａ…運手席、１３ｂ…機器室、１４…ベースマシン、１５…ブーム、１５ａ…ロアブーム、１５ｂ…セカンドブーム、１５ｃ…アッパーブーム、１６…カウンタウエイト、１７…ケリーバ駆動装置、１８…フロントフレーム、１９…フレームシリンダ、２０…ガントリ、２１…起伏ウインチ、２２…起伏ロープ、２３…ペンダントロープ、２４…ブラケット、２５…トップシーブ、２６…シーブ軸、２７…主巻シーブ、２８…補巻シーブ、２９…主巻ウインチ、３０…主巻ガイドシーブ、３１…主巻ロープ、３２…スイベル、３３…ケリーバ、３４…補巻ウインチ、３５…補巻ロープ、３６…補巻フック、３７…シーブ付き補巻フック、３８…シーブ
【図１】
2015145307.tif 000003
【図２】
2015145307.tif 000004
【図３】
2015145307.tif 000005
【図４】
2015145307.tif 000006